(57)【要約】      （修正有）【課題】折り畳み可能とされたスタンド式の表示体において、折り畳み時に複数の部品に分解されることがなく、また転倒し難くする。【解決手段】折り目を境にして二つ折り可能な脚板３とこの脚板３の折り目を跨いでその上部に設けられた表示体４とを有しており、脚板３はその上面側で上記折り目５が山折り状態となって二つ折りされる状態と扁平に展開した状態とに規制される構造であり、表示体４の下端部には脚板３が二つ折りされるにしたがって形成される山折り部分を嵌め入れ可能とする脚入れ部１０が設けられており、脚板３と表示体とが上記山折り部分を境として隔てられる対称二位置でのみ接続されている。【選択図】図１
0003130559.tif 000002
【実用新案登録請求の範囲】
【請求項１】
折り目（５）を境にして二つ折り可能な脚板（３）とこの脚板（３）の折り目（５）を跨ぐ配置でその上部に設けられた表示体（４）とを有しており、脚板（３）はその上面側で上記折り目（５）が山折り状態となって二つ折りされる状態と扁平に展開した状態とに規制される構造であり、表示体（４）の下端部には脚板（３）が二つ折りされるにしたがって形成される山折り部分（６）を嵌め入れ可能とする脚入れ部（１０）が設けられており、脚板（３）と表示体（４）とが上記折り目（５）を境として隔てられる対称二位置でのみ接続されていることを特徴とする表示用スタンド。
【請求項２】
前記表示体（４）は、少なくともその下端部が筒形に形成されていると共に、この筒形の下端部は脚板（３）の折り目（５）と一致して上下方向へ延びる折り目（８）を有して扁平に畳むことが可能になっており、この筒形の内側の筒孔内で前記脚入れ部（１０）が形成されていることを特徴とする請求項１記載の表示用スタンド。
【請求項３】
前記脚板（３）は、二つ折りされるにしたがって形成される山折り部分（６）が表示体（４）の脚入れ部（１０）内に嵌め入れられるときに当該脚入れ部（１０）の下部開口縁に常に輪郭部を摺接させ得るような平面形状を有して形成されていることを特徴とする請求項１又は請求項２記載の表示用スタンド。
【請求項４】
前記脚板（３）と表示体（４）との接続部分は、脚板（３）の板面に設けた切り起こし片（７）を表示体（４）における脚入れ部（１０）の内周面に接着することで形成されていることを特徴とする請求項１乃至請求項３のいずれか１項に記載の表示用スタンド。
【請求項５】
前記表示体（４）の上端部にテーブル板（２１）が設けられていることを特徴とする請求項１乃至請求項４のいずれか１項に記載の表示用スタンド。
【請求項６】
前記表示体（４）が立体的な疑似模型を呈して形成されていることを特徴とする請求項１乃至請求項４のいずれか１項に記載の表示用スタンド。
【考案の詳細な説明】
【技術分野】
【０００１】
本考案は、デパート、スーパーマーケット、銀行、役所、会社事務所、工場、各種展示会場、イベント会場、催し会場等で立設して使用される表示用スタンドに関するものである。
【背景技術】
【０００２】
ボール紙等で形成され、折り畳み可能とされたスタンド式の表示体が知られている（例えば、特許文献１等参照）。この表示体は、起立状態で使用する板状の表示板に対し、その裏面に平面視で四角い枠形に張り出す保持枠を上下複数設けておき、これら各保持枠内へ、枠内の対角方向を突っ張らせるようにして板状の支持脚を差し通す構造になっている。
表示板は上下方向で折り畳み可能となっているが、上下の保持枠へ支持脚を差し通すことでこの折り畳みが阻止され、また保持枠も枠形を保持されるようになるため、これで表示体全体として立体形が保持されて立ち姿勢での載置ができるというものである。
【特許文献１】特許第３７６８９４１号公報
【考案の開示】
【考案が解決しようとする課題】
【０００３】
従来公知の表示体（特許文献１等）では、折り畳んだ状態で表示板と支持脚とに分解されるものであるから、これら複数の部品を一揃えのものとして保存、収納、輸送などする必要があり、部品の管理が面倒で、且つ紛失のおそれもあった。
本考案は、上記事情に鑑みてなされたものであって、折り畳み時に複数の部品に分解されることがなく、もって保存、収納、輸送などに関しての不具合が生じないようにすると共に、転倒し難くして本来の表示機能が奏し得られる表示用スタンドを提供することを目的とする。
【課題を解決するための手段】
【０００４】
前記目的を達成するために、本考案は次の手段を講じた。
即ち、本考案に係る表示用スタンドは、折り目を境にして二つ折り可能な脚板とこの脚板の折り目を跨ぐ配置でその上部に設けられた表示体とを有しており、脚板はその上面側で上記折り目が山折り状態となって二つ折りされる状態と扁平に展開した状態とに規制される構造であり、表示体の下端部には脚板が二つ折りされるにしたがって形成される山折り部分を嵌め入れ可能な脚入れ部が設けられており、脚板と表示体とが上記折り目を境として隔てられる対称二位置でのみ接続されている。
【０００５】
このように、脚板は、その全面を面一の扁平状態に展開したり、山折り状態に二つ折りしたりの二者択一の折り畳みができるものである。換言すれば脚板は、この二つの状態にしか変形できないものである。そのため、脚板が二つ折りされるときには、必ずこの脚板の下面が接地面に対して突っ張り作用を生じるものとなる。
ここにおいて、脚板の下面全体の広さを使って上記突っ張り作用が生じることになるので、倒れ難く、安定性に優れた表示用スタンドが得られるものである。
なお、脚板において、「上面側で折り目が山折り状態となって二つ折りされる状態と扁平に展開した状態とに規制される構造」というのは、扁平に展開した脚板を二つ折りさせるときに、必然的に脚板の上面側で山折り部分が形成されてゆくことが、常態として起こる構造を指す。具体的な一例としては、折り目を形成するための筋（スリット状の凹み線）が上面にのみ、形成されているような構造（蝶番も含む）である。好ましくは、この二つ折りの方向が限定されている（脚板の上面側で谷折りになるといったことが阻止されている）のがよい。
【０００６】
また、脚板と表示体とを接続する部分が「対称二位置でのみ」としているのは、それ以外に接続部分があると折り畳みができないためである。
表示体は、少なくともその下端部が筒形に形成されていると共に、この筒形の下端部は脚板の折り目と一致して上下方向へ延びる折り目を有して、扁平に畳むことが可能になっており、この筒形の内側の筒孔内で脚入れ部が形成されたものとするのが好適である。
このようにすることで、脚板の二つ折りを行ったときに表示体も扁平かつコンパクトに折り畳むことができるようになる。
【０００７】
脚板は、二つ折りされるにしたがって形成される山折り部分が表示体の脚入れ部内に嵌め入れられるときに、この脚入れ部の下部開口縁に常に輪郭部を摺接させ得るような平面形状を有したものとして形成しておくのが好適である。
このようにすると脚板としては可及的に底面積を大きくできることになる。また表示体としては、脚入れ部の下端部を水平な円環形状として形成させることができ、そのため、脚板を完全な扁平状態となるように広げた場合に、この脚板の上面に脚入れ部の下端部（円環部）を全周的に当接させることができるものとなる。これらのことから、表示用スタンドとしての安定性を更に一層、高めることができる。
【０００８】
脚板と表示体との接続部分は、脚板の板面に設けた切り起こし片を表示体における脚入れ部の内周面に接着することで形成することができる。
このように脚板と表示体との接続部分である切欠内片を表示体における脚入れ部の内周面に接着させることで、切欠内片が外から見えず、見栄えが良好となる。
本考案に係る表示用スタンドは、表示体の上端部にテーブル板が設けられたものとして構成したり、表示体が立体的な疑似模型（例えばニンジンや大根などの野菜類といったもの）を呈して形成されたものとしたりすることができる。
【考案の効果】
【０００９】
本考案に係る表示用スタンドでは、折り畳み時に複数の部品に分解されることがなく、もって保存、収納、輸送などに関しての不具合が生じないものであり、そのうえで転倒し難くして本来の表示機能が奏し得られるようにすることができる。
【考案を実施するための最良の形態】
【００１０】
以下、本考案の実施の形態を、図面に基づき説明する。
図１乃至図７は、本考案に係る表示用スタンド１の第１実施形態を示したものであって、図１、図２及び図４は使用状態としての立体形を示しており、図３、図５及び図６は折り畳みの途中を示しており、図７は折り畳み後の状態を示している。
この表示用スタンド１は脚板３と表示体４とを有している。これら脚板３や表示体４の形成材料はボール紙、樹脂含浸紙、樹脂のコーティングやラッピングがされた紙、樹脂シート、樹脂板、金属板（弾性が豊富で塑性変形し難いものが好適）などが採用可能である。
【００１１】
また、脚板３の平面形状や大きさは特に限定されるものではなく、表示体４の形状や大きさとの相関で、適宜選択できるものである。図１及び図２から明かなように、本実施形態においては、表示体４がその全体として、下すぼみの円錐台筒形を呈したものとしてあり、これに対して脚板３は、平面視した状態として、恰も蝶が羽根を広げたような形状としてある。
脚板３にはその板面を二分するように折り目５が設けられており、この折り目５を境として二つ折り可能になっている。図３及び図５に示すように、この脚板３において、折り目５によって二つ折りできる方向は、脚板３の上面側で折り目５が山折り状態（山折り部分６を形成する方向）となる方向（更に言えば、折り目５から遠い方の端縁を下向きに折り込むような方向）に規制されている。
【００１２】
脚板３の板面には、折り目５の両側に振り分けられる配置で一対の切り起こし片７が設けられている。これら切り起こし片７は、脚板３を折り目５で二つ折りするとき、この折り目５によって形成される山折り部分６を境として、対称な二位置に隔てられていることになる。これら切り起こし片７は脚板３と表示体４とを接続時に、接着する（接着剤の塗布面としたり両面テープ、粘着テープなどの貼付片としたりする）ために用いられるものであって、脚板３の上方へ向けて折曲することができ、またこの折曲角度を自在に変化させることができるようになっている。
【００１３】
表示体４は、脚板３の折り目５を跨ぐ配置でその上部に設けられている。上記したように、この表示体４はその全体として下すぼみの円錐台筒形を呈しているため、表示体４の下端部も当然に筒形に形成されている。このような表示体４の下部により形成される筒形の内側の筒孔内で、脚板３が二つ折りされるにしたがって形成される山折り部分６を収納するための脚入れ部１０が形成されている。
この表示体４についても、脚板３の折り目５と一致して上下方向へ延びる折り目８（即ち、この折り目８は、円筒形としての一つの直径線の両端と円筒形の外周面とが交差する二位置に相当している）を有しており、この折り目８を介して扁平に折り畳むことができる。そのため脚板３を二つ折りするときには、同時に、表示体４も扁平に折り畳むことができ、結果、図６に示すようにこれら脚板３及び表示体４を折り畳んだ後の折り姿はコンパクトになる。
【００１４】
本実施形態では、表示体４の上下方向中央位置でその胴回りを一周するように折り目１１が設けられたものとしてある。この折り目１１が設けられているため、表示体４を扁平に折り畳んだ状態とした後に、図７に示すように、上下方向で二つ折りすることもできるようになっている。この折り目１１を上下に複数箇所（例えば２箇所）設けて、表示体４の折り姿を更に小さく（三つ折り状態など）させることも可能である。
なお、脚板３は、平面視した状態として恰も蝶が羽根を広げたような形状としてある旨説明したが、この形状は、表示体４の脚入れ部１０に対してその下部開口縁に常に輪郭部を摺接させ得るようにするための平面形状である。
【００１５】
表示体４において、円筒形の外周面に各種の着色や模様、ロゴマーク、文字、図形等の印刷、装飾物の付着などによって用途・目的に対応した所望の表示を行わせればよい。
以上説明したことから明かなように、本考案に係る表示用スタンド１において、脚板３は、折り目５が設けられていることでその全面を面一の扁平状態とするように広げたり、山折り状態とするように二つ折りしたりの二者択一の折り畳みができるが、脚板３はこの二つの状態にしか変形できないため、脚板３が二つ折りされるときには、必ずこの脚板３の下面が接地面に対して突っ張り作用を生じることになる。
【００１６】
ここにおいて、脚板３の下面全体の広さを使って上記突っ張り作用が生じることになるので、倒れ難く、安定性に優れた表示用スタンドが得られるものである。
また、脚板３としては可及的に底面積を大きくできるうえに、表示体４としては、脚入れ部１０の下端部を水平な円環形状として形成させることができ、そのため、脚板３を完全な扁平状態となるように広げた場合に、この脚板３の上面に脚入れ部１０の下端部（円環部）を全周的に当接させることができるものとなる。これらのことから、表示用スタンド１としての安定性を更に一層、高められている。
【００１７】
図８は、本考案に係る表示用スタンド１の第２実施形態を示している。この第２実施形態の表示用スタンド１では、表示体４の上部に装飾片２０が設けられており、立体的な疑似模型（図例では装飾片２０が葉っぱのような形状とされてスタンド全体でニンジンや大根などの野菜類を表現している）を呈して形成されたものとしたりすることができる。
表示体４に対して装飾片２０を折り畳み自在な状態で連結しておいてもよいし、着脱自在にしておいてもよい。その他の構成及び作用効果は第１実施形態と略同様である。
図９は、本考案に係る表示用スタンド１の第３実施形態を示している。この第３実施形態の表示用スタンド１では、表示体４の上端部にテーブル板２１が設けられている。
【００１８】
表示体４に対してテーブル板２１を折り畳み自在な状態で連結しておいてもよいし、着脱自在にしておいてもよい。その他の構成及び作用効果は第１実施形態と略同様である。
また、他の実施形態として、表示体４を筒形状とすることによって、例えば、一輪差し、花立て、傘立て、その他、各種の入れ物（容器）として使用することもできる。さらに、筒形状の表示体４の内面に樹脂をコーティングしたり、樹脂製シートをラミネートして液体やゲル状物等を収容可能としてもよく、また、筒形状の表示体４の内面に樹脂製袋を設けて液体等を収容可能としてもよい。
【００１９】
ところで、本考案は、上記各実施形態に限定されるものではなく、実施の形態に応じて適宜変更可能である。なお、本考案において、折り目５は、脚板３を偏平（水平）状態と山折り状態とに規制される構造の蝶番で構成してもよく、従って、このような蝶番も折り目５に含まれるものである。
【図面の簡単な説明】
【００２０】
【図１】本考案に係る表示用スタンドの第１実施形態を示した斜視図である。
【図２】図１のＡ−Ａ線矢視図（底面図）である。
【図３】図１の状態から折り畳みを開始した様子を示した斜視図である。
【図４】図１のＢ−Ｂ線断面図である。
【図５】図３のＣ−Ｃ線断面図である。
【図６】図３の状態から更に折り畳みを進めて表示体を扁平にした状態を図３中の白抜き矢符Ｄ方向から示した断面図である。
【図７】図６の状態から表示体を縦に二つ折りさせた状態（表示用スタンドとしての折り畳み完了状態）を図４や図５と同じ視角で示した断面図である。
【図８】本考案に係る表示用スタンドの第２実施形態を示した斜視図である。
【図９】本考案に係る表示用スタンドの第３実施形態を示した斜視図である。
【符号の説明】
【００２１】
１  表示用スタンド
３  脚板
４  表示体
５  折り目
６  山折り部分
７  切り起こし片
８  折り目
１０  脚入れ部
２１  テーブル板
【図１】
0003130559.tif 000003
【図２】
0003130559.tif 000004
【図３】
0003130559.tif 000005
【図４】
0003130559.tif 000006
【図５】
0003130559.tif 000007
【図６】
0003130559.tif 000008
【図７】
0003130559.tif 000009
【図８】
0003130559.tif 000010
【図９】
0003130559.tif 000011